(57)【特許請求の範囲】
【請求項１】
回転自在な駆動シャフトと、該駆動シャフトに連結され該駆動シャフトを軸として前進及び後退揺動する打球杵と、前記駆動シャフトに遊嵌された調節リングと、該調節リングの一方向への回転を規制するリングストッパと、操作ハンドルの回転変位量に応じて前記調節リングを回転させる変位伝達機構と、前記調節リングを前記リングストッパ側に回転させる方向の付勢力を発生する基底的な捻れ変形量を与えられ、一方の端部を前記調節リングに保持されて前記駆動シャフトに遊嵌された巻バネと、前記巻バネの他方の端部を該巻バネの周方向に沿って移動可能に貫通させる貫通長孔を有し前記駆動シャフトに連結されて該駆動シャフトと共回りするトルクキャップと、該トルクキャップの貫通長孔を貫通している前記巻バネの端部を保持し該トルクキャップに対して相対回転可能な調整体と、該調整体と前記トルクキャップとの相対回転位置を固定する回転規制手段と、前記巻バネの捻れ変形量を増加させる方向に前記打球杵を後退変位させてから解放する後退駆動機構とを備える遊技球発射装置において、
外周にセレーションが設けられているセレーション体を前記調整体とし、
前記トルクキャップには、該トルクキャップの軸方向に沿って延出され該トルクキャップの径方向に沿って弾性変形可能で、内面側に前記セレーション体のセレーションと歯合するセレーション面を備える弾性片を設け、
前記トルクキャップの軸方向に沿って許容位置から規制位置への一方向のみ変位可能で、許容位置では前記弾性片の外側への変形を許すが前記規制位置では該弾性片の外側への変形を許さない規制体を前記回転規制手段とした
ことを特徴とする遊技球発射装置。
【請求項２】
請求項１記載の遊技球発射装置において、
前記セレーション体を回動変位させる工具の挿通孔を前記規制体に設け、
該挿通孔を閉鎖体にて不可逆的に閉鎖した
ことを特徴とする遊技球発射装置。
【発明の詳細な説明】
【０００１】
【発明の属する技術分野】
本発明は、弾球遊技機の技術分野に属し、詳しくは遊技球発射装置に関する。
【０００２】
【従来の技術】
パチンコ機等の弾球遊技機に装備される遊技球発射装置には、回転自在な駆動シャフトに打球杵を連結し、その打球杵または駆動シャフトをバネによって打球杵の打撃方向に付勢しておき、モータを駆動源とする後退駆動機構にてバネの変形量を増加させる方向に打球杵を後退変位させてから解放することで、バネによって打撃方向に前進駆動させられた打球杵にて遊技球を打撃して発射する構造のものがある。
【０００３】
このバネとしては、巻バネまたは引っ張りバネが使用されており、遊技者によって操作される操作ハンドルの回動量に応じてバネの付勢力を調節するための遊技者操作機構（遊技者による調節）とバネの基底的な変形量（付勢力）を調整するためのバネ力調整機構（メーカー側での調整用）が備わっていた。
【０００４】
巻バネを使用する遊技球発射装置の場合、駆動シャフトに遊嵌された調節リング、調節リングの一方向への回転を規制するリングストッパ及び操作ハンドルの回転変位量に応じて調節リングを回転させる変位伝達機構にて遊技者操作機構が構成され、巻バネの他方の端部を該巻バネの周方向に沿って移動可能に貫通させる貫通長孔を有し駆動シャフトに連結されて駆動シャフトと共回りするトルクキャップ、トルクキャップの貫通長孔を貫通している巻バネの端部を保持しトルクキャップに対して相対回転可能な調整体及び調整体とトルクキャップとの相対回転位置を固定する回転規制手段にてバネ力調整機構が構成されていた。
【０００５】
【発明が解決しようとする課題】
従来の遊技球発射装置では、弾球遊技機がメーカーから出荷された後（遊技店に設置された後）でも、バネ力調整機構を操作してバネの基底的な変形量を増減させ、基底的な発射力を強弱変更することが可能であった。
【０００６】
このような操作が可能であると、遊技店で基底的な発射力を強弱変更して賞球を獲得できにくくする（いわゆる出球調整）ことがあり、好ましくなかった。
【０００７】
【課題を解決するための手段および発明の効果】
上記課題を解決するための請求項１記載の遊技球発射装置は、回転自在な駆動シャフトと、該駆動シャフトに連結され該駆動シャフトを軸として前進及び後退揺動する打球杵と、前記駆動シャフトに遊嵌された調節リングと、該調節リングの一方向への回転を規制するリングストッパと、操作ハンドルの回転変位量に応じて前記調節リングを回転させる変位伝達機構と、前記調節リングを前記リングストッパ側に回転させる方向の付勢力を発生する基底的な捻れ変形量を与えられ、一方の端部を前記調節リングに保持されて前記駆動シャフトに遊嵌された巻バネと、前記巻バネの他方の端部を該巻バネの周方向に沿って移動可能に貫通させる貫通長孔を有し前記駆動シャフトに連結されて該駆動シャフトと共回りするトルクキャップと、該トルクキャップの貫通長孔を貫通している前記巻バネの端部を保持し該トルクキャップに対して相対回転可能な調整体と、該調整体と前記トルクキャップとの相対回転位置を固定する回転規制手段と、前記巻バネの捻れ変形量を増加させる方向に前記打球杵を後退変位させてから解放する後退駆動機構とを備える遊技球発射装置において、
外周にセレーションが設けられているセレーション体を前記調整体とし、
前記トルクキャップには、該トルクキャップの軸方向に沿って延出され該トルクキャップの径方向に沿って弾性変形可能で、内面側に前記セレーション体のセレーションと歯合するセレーション面を備える弾性片を設け、
前記トルクキャップの軸方向に沿って許容位置から規制位置への一方向のみ変位可能で、許容位置では前記弾性片の外側への変形を許すが前記規制位置では該弾性片の外側への変形を許さない規制体を前記回転規制手段としたことを特徴とする。
【０００８】
この遊技球発射装置においては、遊技球発射装置を弾球遊技機に装着して試し撃ちにて発射力を調整する際には、規制体を許容位置にしておく。
この状態であると弾性片の外側への変形が許されているので、セレーション体を回動操作すると弾性片が外側に弾性変形するので、それによってセレーション体と弾性片との歯合位置すなわちセレーション体とトルクキャップの相対回転位置を変更できる。これにより巻バネの基底的な捻れ変形量が変化するから、基底的な発射力を調整できる。
【０００９】
そして、セレーション体に加えていた回動力を解除しても弾性片と歯合しているので、セレーション体とトルクキャップの相対回転位置は変化しない。
このようにセレーション体の回転位置を適宜変化させて適切な発射力となったところで、規制体を許容位置から規制位置に変位させると、弾性片の外側への変形が阻止されるから、セレーション体の回動はできなくなり、基底的な発射力の調整もできなくなる。
【００１０】
しかも、規制体の変位は、許容位置から規制位置への一方向に限って可能であり、一旦規制位置にした規制体を許容位置に戻すことはできない。したがって、弾球遊技機をメーカーから出荷する前に規制体を規制位置にしておけば、出荷後（遊技店に設置された後）に、巻バネの基底的な変形量を増減させ、基底的な発射力を強弱変更するはできず、そうした操作によって賞球を獲得できにくくすることもできない。
【００１１】
請求項２記載の遊技球発射装置は、請求項１記載の遊技球発射装置において、前記セレーション体を回動変位させる工具の挿通孔を前記規制体に設け、該挿通孔を閉鎖体にて不可逆的に閉鎖したことを特徴とする。
セレーション体を回動変位させる工具の挿通孔を規制体に設けておくと、この挿通孔から例えばドライバのような工具を差し込んでセレーション体を回動操作できるから、調整を行いやすい。しかし、このような挿通孔があると、それを利用して無理矢理セレーション体を回動操作しようと図るおそれがある。請求項２の遊技球発射装置は、それを回避するために、巻バネの基底的な変形量の調整が済んで規制体を規制位置にしてから、挿通孔を閉鎖体にて不可逆的に閉鎖したものである。
【００１２】
【発明の実施の形態】
次に、本発明の実施例を図面を参照して説明することにより発明の実施の形態を説明する。
【００１３】
【実施例】
まず図１〜５を参照して、遊技球発射装置１０の全体的な構成を説明する。なお、図１はバネ力調整機構１２側の斜視図、図２は打球杵１４側の斜視図、図３はバネ力調整機構１２側の側面図、図４は駆動シャフト１６の中心を通る縦方向の断面図、図５は分解斜視図である。
【００１４】
これらの図に示すように、本実施例の遊技球発射装置１０は、金属製のベース板１８にて各部を支持する構造である。
ベース板１８には、後退駆動機構の駆動源としてのステッピングモータ２０が図示しないねじによって固定され、ステッピングモータ２０を駆動制御するための回路基板を収容した基板ケース２１も取付けられる。またベース板１８には、ステッピングモータ２０の出力軸を貫通させるための窓２２が設けられており、この窓２２を貫通した出力軸の先端に駆動カム２４が取付けられている。詳細は後述するが、ステッピングモータ２０を稼働させると、駆動カム２４にて打球杵１４を後退変位させてから解放することができ、ステッピングモータ２０と駆動カム２４により後退駆動機構が構成されている。
【００１５】
ベース板１８には軸受筒２６が設けられ、軸受筒２６内にはリングスペーサ２８を挟んで一対のボールベアリング３０、３０が挿入されている。ボールベアリング３０、３０の中心側の間隔はリングスペーサ２８によって確保され、外周側の間隔はＵスペーサ３２によって確保される。詳しくは、軸受筒２６にはＵスペーサ３２に整合する溝２６ａと２箇所のスペーサ孔２６ｂが設けられており、Ｕスペーサ３２を溝２６ａに差し込むと、Ｕスペーサ３２の爪３２ａがスペーサ孔２６ｂから軸受筒２６の内部に突出し、その爪３２ａがボールベアリング３０、３０の外周側の間隔を確保する。
【００１６】
なお、Ｕスペーサ３２の外面は軸受筒２６の外周面（円筒面）と整合する曲面に形成されており、Ｕスペーサ３２を溝２６ａに挿入した際にはＵスペーサ３２の外面は軸受筒２６の外周面と段差なく滑らかに連続する。そして、軸受筒２６には保持筒３４が外嵌され、Ｕスペーサ３２の脱落を防いでいる。
【００１７】
駆動シャフト１６は、両ボールベアリング３０及びリングスペーサ２８を貫通し、両ボールベアリング３０により回転自在である。駆動シャフト１６の杵側端部１６ａおよびバネ側端部１６ｂは一部が削ぎ落とされ、互いに平行な一対の平面が形成され、その断面形状は小判状となっている。
【００１８】
駆動シャフト１６の杵側端部１６ａにはフランジ１６ｃに接して打球杵１４の小判孔１４ａが外嵌され、次にヒットアーム３６の小判孔３６ａが外嵌され、それらをワッシャ３８で押さえるようにしてナット４０で締め付けている。したがって、打球杵１４及びヒットアーム３６は、駆動シャフト１６と共回りする。また、ヒットアーム３６の先端孔にはアームピン４１が嵌着されており、そのアームピン４１にてインナリング４２ａとアウタリング４２ｂとからなるアームローラ４２を回転自在に保持している。
【００１９】
また、ベース板１８には、打球杵１４の前進位置を規定するとともに、打撃時の衝撃を吸収するための上ストッパゴム４４並びに下ストッパゴム４６が、カバー金具４４ａ、４６ａに保持され、ボルト、ナットにて取付けられており、図示しない発射レール上に遊技球を１球ずつ供給する発射球供給機構（図示しない）を駆動するためのスライダ機構５０が取付けられている。
【００２０】
スライダ機構５０は、プラスチック製でベース板１８に固定される筒状のケース５１を備えている。ケース５１にはスライド孔５１ａが設けられ、そのスライド孔５１ａにプラスチック製のスライダ５２が挿入されている。スライダ５２の先端部には軸方向に沿った溝５２ａが設けられており、下端部にはローラ軸５２ｂが設けられている。
【００２１】
スライダ５２は、先端部を圧縮バネ５３に挿通させた状態で、圧縮バネ５３と共にスライド孔５１ａに挿通されており、溝５２ａにはスライド孔５１ａ内に突出する一対の突起が挿通されている。このため、スライダ５２は、スライド孔５１ａ内を昇降往復可能であるが、溝５２ａに挿通された突起によって回転は阻止される。また、突起は圧縮バネ５３がスライド孔５１ａから抜け出すのを阻んでいる。さらに、スライド孔５１ａから突出している先端には、長リング状の腕５４がビス５６にて固着されている。一方、ローラ軸５２ｂにはローラ５７が回転自在に外嵌され、スリットワッシャ５８がローラ５７の脱落を防いでいる。
【００２２】
スライダ機構５０は、ローラ５７を打球杵１４の突上部１４ｂに当接しており、圧縮バネ５３はスライダ５２を押し下げる方向に付勢している。すなわち、ローラ５７は、圧縮バネ５３の付勢力によって突上部１４ｂに押し付けられていて、常に突上部１４ｂに接している。そして、打球杵１４が後退変位するときに突上部１４ｂがスライダ５２を押し上げ、スライダ５２の先端の腕５４が発射球供給機構を駆動する。
【００２３】
駆動シャフト１６のバネ側端部１６ｂ側には、バネ力調整機構１２が取付けられている。バネ力調整機構１２は、調節リング６１、トルクキャップ６５、コイルバネ６９、セレーション体７１、規制体に該当するロックカバー７５、閉鎖体７８等から構成され、巻バネ７９の基底的な捻れ変形量を調整するために用いられ、また遊技者の操作に応じて巻バネ７９の変形量を増減するためにも用いられる。
【００２４】
調節リング６１は、ギヤ部６１ａ、バネ溝６１ｂおよびギヤ部６１ａに連続して設けられた回転規制部６１ｃを有し、保持筒３４に回動自在に外嵌されている。なお、調節リング６１の回転規制部６１ｃは、ベース板１８に固着されているリングストッパ７０に当接し、それによって図３における反時計回り方向への回転を阻まれる。
【００２５】
また、軸受筒２６には巻バネ７９が遊嵌されており、巻バネ７９の一方の端部７９ａは調節リング６１のバネ溝６１ｂに係止されている。
トルクキャップ６５は、図６に詳細を示すように、円筒部６５ａと底部６５ｂからなっている。円筒部６５ａには一対の溝状部６６が設けられ、各溝状部６６にはそれぞれ２箇所の係合孔６６ａ、６６ｂが設けられている。また、円筒部６５ａからは４つの弾性片６７が延出されており、各弾性片６７の内面には図６（ｄ）に拡大して示すようにセレーション面６７ａが設けられている。
【００２６】
一方、底部６５ｂの中心部には、駆動シャフト１６のバネ側端部１６ｂの形状に整合する小判孔６８ａが設けられている。また、筒部６５ａに沿って円形の溝６８ｃが設けられており、この溝６８ｃ内に円弧状の貫通長孔６８ｂが設けられている。
【００２７】
このトルクキャップ６５は、図４に示すように小判孔６８ａを駆動シャフト１６のバネ側端部１６ｂに外嵌させ、その両側の一対のナット８０によって挟圧されて駆動シャフト１６のバネ側端部１６ｂに取付けられている。このためトルクキャップ６５は駆動シャフト１６共回りする。そして、トルクキャップ６５と調節リング６１とで巻バネ７９の本体部分を挟むようにして保持しており、巻バネ７９の端部７９ｂはトルクキャップ６５の貫通長孔６８ｂを貫通している。
【００２８】
図７に詳細を示すように、セレーション体７１は、円形のレール部７１ａとその中心側に連設されている操作部７１ｂとを備えている。レール部７１ａには軸方向の貫通孔７２ｂが設けられており、また外周には図７（ｄ）に拡大して示すセレーション７２ａが設けられている。なお、レール部７１ａの幅はトルクキャップ６５の溝６８ｃ内を摺動する幅であり、セレーション７２ａはトルクキャップ６５のセレーション面６７ａの凹凸と整合する寸法である。また、操作部７１ｂの中心部には工具用の軸受孔７３ａが設けられ、操作部７１ｂを横断する工具受溝７３ｂが設けられている。
【００２９】
このセレーション体７１は、図４に示すようにトルクキャップ６５の溝６８ｃにレール部７１ａを挿通させ、セレーション７２ａをセレーション面６７ａに歯合させて、トルクキャップ６５に隣接して配されている。また、トルクキャップ６５の貫通長孔６８ｂを貫通している巻バネ７９の端部７９ｂは、セレーション体７１の貫通孔７２ｂに内嵌している。また、セレーション体７１は、駆動シャフト１６には連結されておらず、駆動シャフト１６に対して相対回転可能である。
【００３０】
セレーション体７１の操作部７１ｂにはコイルバネ６９が遊嵌され、そのコイルバネ６９をセレーション体７１とで圧縮、挟持するようにして、ロックカバー７５が装着されている。
図８に詳細を示すように、ロックカバー７５は、円筒部７５ａと基板部７５ｂとからなり、円筒部７５ａには一対の係止爪７６が相対向して設けられている。係止爪７６は、トルクキャップ６５の溝状部６６の内のりに整合する幅であり、突起部分を係合孔６６ａ、６６ｂに係止可能である。遊技球発射装置１０を装着した弾球遊技機がメーカーから出荷される時点では、図４に示すように係止爪７６は係合孔６６ｂに係止されているが、それ以前の適宜時点までは係合孔６６ａに係止されている。この係止位置の変更については後述する。
【００３１】
また、基板部７５ｂの中央には、セレーション体７１の操作部７１ｂを挿通可能な挿通孔７７ａが設けられており、円筒部７５ａ沿いに２箇所の長孔７７ｂとビス孔７７ｃとが設けられている。なお、長孔７７ｂの一方は、ロックカバー７５を装着した状態（例えば図４に示す状態）でセレーション体７１の貫通孔７２ｂに対応する位置となり、貫通長孔６８ｂを貫通している巻バネ７９の端部７９ｂが進入できる。
【００３２】
そして、弾球遊技機がメーカーから出荷される時点では、図１、３、４に示すように、閉鎖体７８がワンウェイビス８１によってロックカバー７５にねじ止めされる。
次に、遊技者が巻バネ７９の捻れ変形量（発射力の強弱）を調節するための機構について説明する。
【００３３】
この操作は、例えば図２に例示する操作ハンドル８２を遊技者が回動操作することで行われ、遊技球発射装置１０には操作ハンドル８２の操作軸８２ａと嵌合する嵌合孔８３ａを有する操作ギヤ８３が取付けられている。
操作ギヤ８３の軸８３ｂは、中心部が大径で両端部が小径の太鼓状の軸受８４に挿通され、先端に螺着された座付きビス８６にて軸受８４との分離を防止されている。この軸受８４は、ベース板１８の軸受孔８５に挿通されており、座付きビス８６とベース板１８の表面との間に介装されたＣリング８７により軸受孔８５からの離脱を防止されている。
【００３４】
操作ギヤ８３のギヤ部８３ｃと連動ギヤ８９のギヤ部８９ａには、歯山を内面側にしてタイミングベルト８８が装着されている。連動ギヤ８９の軸部８９ｂは、ベース板１８の軸受孔９０を貫通しており、その貫通先には回動ギヤ９１が座付きビス９２にて取付けられている。連動ギヤ８９の軸部８９ｂ及び回動ギヤ９１の軸孔９１ａは、共に小判状であるので、連動ギヤ８９と回動ギヤ９１は共回りする。そして、この回動ギヤ９１は、図３に示すとおり調節リング６１のギヤ部６１ａと歯合している。
【００３５】
こうした構成により、遊技者が操作ハンドル８２を回動すると、操作ギヤ８３が回動する。これに伴って連動ギヤ８９が回動し、これと共に回動ギヤ９１が回動する。この回動ギヤ９１の回動は調節リング６１に伝達され、これを回動変位させる。すると、調節リング６１に保持されている巻バネ７９の端部７９ａが駆動シャフト１６を中心として変位して、巻バネ７９のねじれ量が変化する。本実施例では、操作ハンドル８２を遊技者から見て時計回りに回動すると、巻バネ７９の捻れ量が大きくなる。
【００３６】
この遊技球発射装置１０では、ステッピングモータ２０を稼働させて駆動カム２４を回動させると、駆動カム２４がアームローラ４２に当接してこれを押圧してヒットアーム３６と共に打球杵１４を後退側（図２における時計回り方向）に揺動変位させる。それに伴って駆動シャフト１６が回転し、駆動シャフト１６に連結されているトルクキャップ６５が回転し、トルクキャップ６５と共にセレーション体７１、ロックカバー７５等も共回りする。しかし、調節リング６１は駆動シャフト１６と共回りしない。このため、駆動シャフト１６が回転した分だけ巻バネ７９が捻られる。すなわち、打球杵１４を後退変位させ巻バネ７９の捻れ変形量を増大させる。
【００３７】
さらに駆動カム２４が回動すると駆動カム２４がアームローラ４２から離脱して押圧力を解除するので、ヒットアーム３６および打球杵１４は前進側に復帰可能となり、駆動シャフト１６と共に巻バネ７９の反発力によって上記とは逆方向に戻り回転させられる。この戻り回転に伴う打球杵１４の前進揺動により、図示しない発射レール上の遊技球を打撃することになる。
【００３８】
このとき、遊技者が操作ハンドル８２を時計回りに回動操作すれば、打球杵１４の後退変位に伴う巻バネ７９の捻れ変形量が増加し、巻バネ７９の反発力すなわち打球杵１４の打撃力が強められる。また、遊技者が操作ハンドル８２の回動量を減少させれば（操作ハンドル８２を戻せば）、上述のようにして増加させた巻バネ７９の捻れ変形量を減少させることができる。
【００３９】
このように、遊技者は巻バネ７９の捻れ変形量を増減調節できるが、巻バネ７９の基底的な捻れ変形量が小さければ、遊技者がこれを増加させても十分な発射力が得られない場合があり、逆に巻バネ７９の基底的な捻れ変形量が大き過ぎれば、操作ハンドル８２の回動量を０にしても発射力が強すぎる（遊技球が飛びすぎる）ことがある。したがって、巻バネ７９の基底的な捻れ変形量を適度なものに調整しておく必要がある。次に、この調整について説明する。
【００４０】
バネ力調整機構１２の組付けは、図９及び図１０に示すように、調節リング６１とトルクキャップ６５とで巻バネ７９を保持する状態としてから、セレーション体７１をトルクキャップ６５に取付ける。詳しくは、セレーション体７１のセレーション７２ａをトルクキャップ６５のセレーション面６７ａに歯合させ、巻バネ７９の端部７９ｂはセレーション体７１の貫通孔７２ｂに貫通させる（図９（ａ）及び図１０（ａ）参照）。そして、２箇所の長孔７７ｂの一方に巻バネ７９の端部７９ｂを挿通させ、ロックカバー７５でセレーション体７１を覆うように、係止爪７６を溝状部６６に挿入しながらロックカバー７５を移動させて、係止爪７６を係合孔６６ａに係合させる（図９（ｂ）参照）。
【００４１】
この図９（ｂ）に示す状態で、ロックカバー７５の挿通孔７７ａからセレーション体７１の操作部７１ｂに工具を差し込んでこれを回す。すると、セレーション体７１のセレーション７２ａが弾性片６７を外側に弾性変形させながら、セレーション面６７ａとの歯合位置を変化させる。このセレーション体７１の回転によって巻バネ７９の両端部７９ａ、７９ｂの相対回転位置が変化するので、巻バネ７９の基底的な捻れ変形量を調整できる。
【００４２】
なお、工具により回転力を解除してもセレーション７２ａとセレーション面６７ａとが歯合しているので、セレーション体７１の回転位置は変動しない。そのため、このように巻バネ７９の基底的な捻れ変形量を調整する作業時に試し打ちして発射力を確認できる。
【００４３】
発射力が適切に調整できたところで（巻バネ７９の基底的な捻れ変形量の調整が済んだなら）、ロックカバー７５を前進させて、係止爪７６を係合孔６６ｂに係合させる（図９（ｃ）参照）。この状態になると、ロックカバー７５の内面が弾性片６７の外側への弾性変形を阻むので、セレーション体７１を回転させようとしても、セレーション７２ａとセレーション面６７ａとの歯合が強固にこれを阻む。したがって、一旦ロックカバー７５の係止爪７６を係合孔６６ｂに係合させたなら、巻バネ７９の基底的な捻れ変形量の調整は不可能となる。また、図示されるように係止爪７６が溝状部６６にぴったりとはまり込んでいるので、係止爪７６と係合孔６６ｂとの係合を解除できない。よって、ロックカバー７５を元に戻してセレーション体７１を回転操作することもできない。
【００４４】
そして、ロックカバー７５に閉鎖体７８を取付けてワンウェイビス８１で締め付ければ、ロックカバー７５の挿通孔７７ａが塞がれてしまうので、もはやセレーション体７１に工具類を接触させることもできなくなる。このように閉鎖体７８を取付けた状態で出荷すれば、弾球遊技機をメーカーから出荷後（遊技店に設置された後）に、巻バネ７９の基底的な変形量を増減させ、基底的な発射力を強弱変更することはできず、そうした操作によって賞球を獲得できにくくすることもできない。
【００４５】
しかも、挿通孔７７ａが不可逆的に閉鎖されてしまうので、挿通孔７７ａから例えばドライバのような工具を差し込んでセレーション体７１を無理矢理に回動操作しようと図るおそれもない。
以上、実施例に従って、本発明の実施の形態について説明したが、本発明はこのような実施例に限定されるものではなく、本発明の要旨を逸脱しない範囲でさまざまに実施できることは言うまでもない。
【図面の簡単な説明】
【図１】  実施例の遊技球発射装置のバネ力調整機構側の斜視図である。
【図２】  実施例の遊技球発射装置の打球杵側の斜視図である。
【図３】  実施例の遊技球発射装置のバネ力調整機構側の側面図である。
【図４】  実施例の遊技球発射装置の縦断面図である。
【図５】  実施例の遊技球発射装置の分解斜視図である。
【図６】  実施例の遊技球発射装置のトルクキャップの構造の説明図である。
【図７】  実施例の遊技球発射装置のセレーション体の構造の説明図である。
【図８】  実施例の遊技球発射装置のロックカバーの構造の説明図である。
【図９】  実施例の遊技球発射装置のバネ力調整機構にロックカバーを組み付ける手順の説明図である。
【図１０】  実施例の遊技球発射装置のバネ力調整機構にロックカバーを組み付ける前の状態の斜視図である。
【符号の説明】
１０…遊技球発射装置、    １２…バネ力調整機構、    １４…打球杵、
１６…駆動シャフト、    ２０…ステッピングモータ（後退駆動機構）、
２４…駆動カム（後退駆動機構）、    ３６…ヒットアーム（後退駆動機構）、
６１…調節リング、    ６５…トルクキャップ、    ６７…弾性片、
６７ａ…セレーション面、    ６８ｂ…貫通長孔、    ７０…リングストッパ、
７１…セレーション体（調整体）、    ７２ａ…セレーション、
７５…ロックカバー（規制体、回転規制手段）、    ７７ａ…挿通孔、
７８…閉鎖体、    ７９…巻バネ、    ７９ａ…端部、    ７９ｂ…端部、
８２…操作ハンドル、    ８３…操作ギヤ（変位伝達機構）、
８８…タイミングベルト（変位伝達機構）、
８９…連動ギヤ（変位伝達機構）、    ９１…回動ギヤ（変位伝達機構）
【図１】
0003756693.tif 000002
【図２】
0003756693.tif 000003
【図３】
0003756693.tif 000004
【図４】
0003756693.tif 000005
【図５】
0003756693.tif 000006
【図６】
0003756693.tif 000007
【図７】
0003756693.tif 000008
【図８】
0003756693.tif 000009
【図９】
0003756693.tif 000010
【図１０】
0003756693.tif 000011